(57)【特許請求の範囲】
【請求項１】
壁面４より突設した支持板２と、該支持板上方の壁面前方離隔位置に垂設支持するとともに、左右対向間距離が下方より上方に漸次増大する荷物支持部５を有する支持枠３とを備え、支持板上面に底部を当接係止するとともに、両側を荷物支持部にそれぞれ当接係止させて荷物６を支持する如く構成したことを特徴とする荷物置。
【請求項２】
上記支持板２が、前方斜め下方へ傾斜する支持板である請求項１記載の荷物置。
【請求項３】
上記支持枠３が、正面視円形状をなす支持枠である請求項１記載の荷物置。
【請求項４】
上記支持枠３が、正面視Ｖ字状をなす支持枠である請求項１記載の荷物置。
【発明の詳細な説明】
【０００１】
【発明の属する技術分野】
本発明は荷物置に関する。
【０００２】
【従来の技術】
公共の化粧室等を利用する際に持ち物を置く場所として、例えば、洗面台に連設された台、或いは独立して設置された台、或いは洗面台の下に開き扉を備えた収納スペース等が設けられている。
【０００３】
【発明が解決しようとする課題】
これらの台や収納スペースでは、紙袋などの比較的縦長な荷物を置こうとすると不安定で自立させておくことが困難であり、荷物の大きさ等により置き難くなったり取り出し難くなる。扉付きの収納スペースでは一々扉の開けしめの面倒があり、扉が邪魔となる不都合もある。また、これらには紙屑等のごみ等がしばしば置かれたり、ホコリが溜まり易いという欠点がある。また、いずれの場合も比較的スペースを必要とし、製造にも手間がかかり、材料費も嵩む。
【０００４】
本発明は上記した点に鑑みなされたもので、きわめて簡単な構造で、スペースをとらずに手荷物を係止させておくことができ、自立が比較的困難な荷物も立てた状態で容易に係止させておくことができ、また、荷物の係止，取り外しも容易で、ゴミ等を置かれることが少なく、埃が溜まり難く、しかも近辺の掃除も容易に行える優れた荷物置を提案するものである。
【０００５】
【課題を解決するための手段】
本請求項１発明の荷物置は、上記課題を解決するため、壁面４より突設した支持板２と、該支持板上方の壁面前方離隔位置に垂設支持するとともに、左右対向間距離が下方より上方に漸次増大する荷物支持部５を有する支持枠３とを備え、支持板上面に底部を当接係止するとともに、両側を荷物支持部にそれぞれ当接係止させて荷物６を支持する如く構成したことを特徴とする荷物置として構成した。
【０００６】
また、請求項２発明の荷物置は、上記支持板２が、前方斜め下方へ傾斜する支持板である請求項１記載の荷物置として構成した。
【０００７】
また、請求項３発明の荷物置は、上記支持枠３が、正面視円形状をなす支持枠である請求項１記載の荷物置として構成した。
【０００８】
また、請求項４発明の荷物置は、上記支持枠３が、正面視Ｖ字状をなす支持枠である請求項１記載の荷物置として構成した。
【０００９】
【発明の実施の形態】
以下、本発明の実施例の形態を図面を参照して説明する。
【００１０】
図１は本発明の荷物置Ａの一例を示すもので、該荷物置Ａは、支持板２と、支持枠３とを備えている。
【００１１】
支持板２は壁面４より突設させる。支持板２を突設させる壁面４としては種々の形態の壁面を採用することができるが、例えば、図１の実施例の如き洗面台前面の壁面４、その他図示しないが家具の側壁を構成する壁面、或いは通常の部屋の壁面等が挙げられるが、これらに限られない。また、壁面４は図１の実施例の如く傾斜面であっても、或いは通常の垂直面であっても、或いは湾曲面等その他の形態の壁面であっても良く、要は支持板２と支持枠３とを本発明の要件を備える如く設置することができる壁面であれば良い。
【００１２】
支持板２は荷物の底部を当接係止するためのもので、その形状や大きさは適宜選択することができるが、一般的な手荷物の底部を支持させるのに充分な形状，大きさを有していればよい。例えば図示例の如き半円板状のものや、図示しないが、四角板状のもの、台形板状のもの等その他種々の形状を採用できる。また、大きさは、荷物底部の一部を支える程度の大きさで充分その効果を発揮するものである。また、支持板２は水平なものであっても良いが、図示例の如く前方斜め下方へ傾斜するものであると、ゴミが乗り難く、荷物を必然的に前方へ傾斜させるため好ましい。支持板２の材質としては、例えば、金属，木，鉱物等種々のものが採用できる。また、支持板２の固定方法も種々の方法が採用でき、例えば、ビス等の固定具による固定、接着材による接着、組み込み、或いはこれらの併用等特に限定はなく、材質等により適宜選択すれば良い。
【００１３】
支持枠３は、支持板２上方の壁面前方離隔位置に垂設支持するとともに、左右対向間距離が下方より上方に漸次増大する荷物支持部５を有する枠状で、荷物支持部５により荷物６の両側当接部分をそれぞれ支え、支持板２による底部の支持とともに三点支持する如く構成したものである。この様な荷物支持部５を持つ具体的な支持枠３としては、例えば、図１及び図３に示す如き円形状のものや、図４に示す如き正面視Ｖ字状をなすもの、或いは図示しないが、正面視縦長楕円状或いは横長楕円状のもの、正面視Ｕ字状をなすもの等種々の形態が挙げられる。尚、図１に示す実施例では上端を一部切断した円形状をなしており、円形状とはこの様な円弧状のものも含む。また、図示例の各支持枠３は、連続した一部材で形成されたものであるが、図５に示す如く左右一対の支持枠構成体により支持枠を形成する形態のものの如く、複数の部材で構成したものであっても良い。
【００１４】
支持枠３の材質としては支持板２と同様種々の材質を採用でき、例えば、金属、木、鉱物等特に限定されない。また、支持枠３は、中空のパイプ状であっても、中実なものであっても良く、必要に応じて選択することができる。更に、その切断端面の外形状も、図示例の如き円形の他、角形、楕円形等種々選択できるが、円形のものが安全性の面、経済性の面で好ましく採用できる。
【００１５】
支持枠３の支持形態も種々選択できる。図１の実施例では、上方が前方の出っ張る傾斜壁面４を採用し、その上端部に支持枠３上端を固定して支持板上方の壁面前方位置に垂設支持している。また、図３に示す如く、両側上下方向中間部より突設した支持杆７の先端を後方の壁面４に固定して支持板前方斜め上方の壁面前方位置に垂設支持しても良い。また、図示しないが、壁面４より突設したフランジ状壁下面に上端部を固定して支持枠を壁面前方離隔位置に垂設することも可能である。支持枠３の固定法としては、上記支持板２と同様種々の固定法を選択できる。
【００１６】
上記の如く構成した荷物置Ａを使用する場合について説明する。荷物６を支持枠３内に上方より挿入し、その底部を支持板２上に当接係止させるとともに、両側を支持枠３の荷物支持部５にそれぞれ当接係止させ、三点で荷物６を支持する。この際荷物の大きさに応じて、荷物６と荷物支持部５との当接箇所が相違し、例えば図６に示す如く、実線の小さい荷物６では両側当接箇所が荷物支持部５の下方にあり、二点鎖線で示した順次大きい荷物６では、両側当接箇所が順次上方位置となる。従って、荷物の大きさに係わらず挿入係止は全く同様に行える如く構成している。
【００１７】
【発明の効果】
以上説明した如く本発明の荷物置は、既述構成としたことにより、手荷物の大小に係わらず重心を支え、荷物の把手を支持枠の略一定範囲内に突出させることができ、荷物の大きさを選ばずに一定の取り出し易さと安定が得られる。また、自立が不安定或いは不可能な荷物でも、確実に斜め正立状態で支持することができる。更に、壁面直前に荷物を斜めに立てかける状態で支持するためデットスペースとなりがちな空間を利用でき、しかも支持板は床面より上方に間隔を開けて突設することができるため足元の邪魔にならず、掃除もし易い。また、支持板は荷物の底面積に対して小さい割合でも充分安定した支持を得られ、従って、死角が少なくなって清掃等をより行い易くする。
【００１８】
また、請求項２発明の荷物置は、支持板が斜めになっているため荷物が必然的に支持枠に寄り添って安定した支持を行えるとともに、不使用時に支持板上へ紙屑などのごみを置いても転がり落ちてしまい、また支持板上へホコリも溜まり難いという利点を兼ね備える。
【００１９】
また、請求項３発明の荷物置は、全体を出来るだけコンパクトに、しかも、左右対向間距離の増加が緩やかで効率良くより多種類の大きさの荷物に対応できる利点を兼ね備えており、形状もシンプルで材料も少なくて済む。
【００２０】
また、請求項４発明の荷物置は、横幅のかなり狭い荷物にも充分対応できる利点を兼ね備える。
【図面の簡単な説明】
【図１】本発明の一実施例を示す縦断面図である。
【図２】同実施例の正面図である。
【図３】本発明の他の実施例を示す斜視図である。
【図４】本発明の更に他の実施例を示す正面図である。
【図５】本発明の更に他の実施例を示す斜視図である。
【図６】本発明荷物置の使用方法を説明する説明図である。
【符号の説明】
２…支持板，３…支持枠，４…壁面，５…荷物支持部，６…荷物，
Ａ…荷物置
【図１】
0004187909.tif 000002
【図２】
0004187909.tif 000003
【図３】
0004187909.tif 000004
【図４】
0004187909.tif 000005
【図５】
0004187909.tif 000006
【図６】
0004187909.tif 000007